(57)【特許請求の範囲】
【請求項１】
交流電圧を直流電圧に変換する変換手段と、音声信号を生成する音声生成手段および、該直流電圧に該音声信号を重畳して合成信号を生成する合成手段とを有する処理装置本体と、
該合成信号を直流電圧と音声信号とに分離する分離手段と、該分離した直流電圧を安定化直流電圧に変換する安定化手段と、該安定化直流電圧を用いて該分離した音声信号を増幅して増幅音声信号を生成する音声増幅手段および、該増幅音声信号を音声に変換して出力する出力手段とを有するスピーカ装置と、
からなることを特徴とする情報処理装置。
【請求項２】
前記変換手段は一定の直流電圧を出力する事を特徴とする請求項１に記載の情報処理装置。
【発明の詳細な説明】
【０００１】
【発明の属する技術分野】
本発明は、処理装置本体に接続されたスピーカ装置に電源を供給するスピーカ装置および情報処理装置に関する。
【０００２】
パーソナルコンピュータ等の情報処理装置は、ＣＰＵと呼ばれる処理回路の組み込まれた処理装置本体と、文字情報や画像情報を画面に出力するディスプレイ装置、処理指示を入力するキーボードやマウス、文字情報や画像情報を印刷出力する印刷装置とを信号線や電源線で接続して構成される。
【０００３】
ネットワークに接続し、パソコン通信を行うためには、モデム装置やネットワークの中継装置との接続が必要となり、上記信号線や電源線に加え、新たにモデム装置やネットワークの中継装置と接続するための信号線や電源線を接続する必要が生じる。
【０００４】
ネットワークを用いて画像，音声，文字等いわゆるマルチメディアと呼ばれる情報を取扱うためには、上記装置の他に音声を出力するためのスピーカ装置が必要となり、特に臨場感のある音質を得る場合には複数のスピーカから構成されるスピーカ装置が必要なため、スピーカ装置と接続するための信号線や電源線を新たに接続することが必要になる。
【０００５】
このように、情報処理装置にあっては、装置間あるいは装置と分電盤とを接続する接続線が膨大になり、接続線を誤って外してしまったり機器或いはアダプタの増設に手間取る等、接続線の逓減が必須となっている。
【０００６】
【従来の技術】
従来の技術について、図３〜図４を参照しながら説明する。
尚、以下の説明において同一部分または相当部分については同一符号を付す。
【０００７】
従来のスピーカ電源供給システムについて、図４を例として参照しながら説明する。
図４において、１’は処理装置本体であり、９’はスピーカ装置であり、１１は図示されない分電盤から供給される交流を伝達する電力線（以下、「交流線」という。）であり、２０は音声回路であり、２１は音声信号を伝達する信号線（以下、「音声線」という。）であり、３０’は変換回路であり、３１’は直流電圧を伝達する電力線（以下、「直流線」という。）であり、６０は安定化回路であり、６１は安定化された直流電圧（以下、「安定化直流電圧」という。）を伝達する電力線（以下、「安定化直流線」という。）であり、７０は増幅回路であり、７１は増幅された音声信号（以下、「増幅音声信号」という。）を伝達する信号線（以下、「増幅音声信号線」という。）であり、８０は出力回路である。
【０００８】
処理装置本体１’は、スピーカ装置９’と音声線２１を介して接続され、音声信号を生成してスピーカ装置９’に送出する装置である。
スピーカ装置９’は、変換回路３０’と安定化回路６０とからなる電源アダプタと、増幅回路７０と出力回路８０とからなる１台のスピーカ（本説明では、「左スピーカ」という。）と、出力回路８０からなる別のスピーカ（本説明では、「右スピーカ」という。）とで構成され、処理装置本体１’と音声線２１を介して接続され、図示されない分電盤と交流線１１を介して接続された装置であって、
音声線２１を介して処理装置本体１’から電送された音声信号を、交流線１１を介して図示されない分電盤から供給された交流電圧により増幅し、音声に変換して出力する装置である。
【０００９】
音声回路２０は、音声線２１に接続され、音声信号を生成して音声線２１に出力する回路である。
変換回路３０’は、交流線１１と直流線３１’とに接続され、交流線１１を介して図示されない分電盤から供給された交流電圧を直流電圧に変換し、直流線３１’に出力する回路である。
【００１０】
安定化回路６０は、直流線３１’と安定化直流線６１とに接続され、直流線３１’を介して供給された直流電圧を安定化直流電圧に変換し、安定化直流線６１に出力する回路である。
【００１１】
増幅回路７０は、音声線２１と安定化直流線６１と増幅音声信号線７１とに接続され、音声線２１を介して入力された音声信号を安定化直流線６１を介して入力された安定化直流電圧で増幅して増幅音声信号を生成し、増幅音声信号線７１に出力する回路である。
【００１２】
出力回路８０は、増幅音声信号線７１に接続され、増幅音声信号線７１を介して入力された増幅音声信号を音声に変換して出力する回路である。
音声回路２０により音声信号が生成されると、前記音声信号は音声線２１を介して処理装置本体１’からスピーカ装置９’に、図３のＡに示される形の波形で出力される。
【００１３】
前記音声信号は音声線２１を介してスピーカ装置９’に伝達され、増幅回路７０に入力される。
この時、スピーカ装置９’には図示されない分電盤から交流線１１を介して交流電圧が供給され、前記交流電圧は変換回路３０’により直流電圧に変換されて直流線３１’を介して安定化回路６０に入力され、安定化回路６０から安定化直流電圧として出力され、安定化直流線６１を介して増幅回路７０に入力される。
【００１４】
音声線２１を介して入力された音声信号は、安定化直流線６１を介して安定化直流電圧が供給された増幅回路７０により増幅され、増幅音声信号が生成され出力される。
【００１５】
前記増幅音声信号は、増幅音声信号線７１を介して出力回路８０に入力され、出力回路８０により音声に変換されて出力される。
【００１６】
【発明が解決しようとする課題】
従来のパーソナルコンピュータ等の情報処理装置では、分電盤から処理装置本体に交流電圧を供給するための交流線の他、スピーカ装置に分電盤からの交流電力を供給するための交流線が必要であり、更に増幅音声信号を左スピーカから右スピーカに供給するための増幅音声信号線が必要となる等、配線が煩雑化していた。
【００１７】
本発明は、スピーカ装置へ接続される接続線の本数を逓減する方法を提供することを目的とする。
【００１８】
【課題を解決するための手段】
本発明の原理について、図１を参照しながら説明する。
尚、従来例の説明において説明されたと同一部分または相当部分については同一符号を付し、新たに説明される部分については新しい符号を付して説明する。
【００１９】
図１において、１は処理装置本体であり、２は音声生成手段であり、３は変換手段であり、４は合成手段であり、５は分離手段であり、６は安定化手段であり、７は音声増幅手段であり、８は出力手段であり、９はスピーカ装置であり、１１は図示されない分電盤から供給される交流電圧を伝達する電力線（以下、「交流線」という。）であり、２１は音声信号を伝達する信号線（以下、「音声線」という。）であり、３１は直流を伝達する電力線（以下、「直流線」という。）であり、４１は直流に音声信号を重畳して生成された合成信号を伝達する合成信号線であり、５１は音声線であり、５２は直流線であり、６１は安定化された直流電力（以下、「安定化直流電圧」という）を伝達する電力線（以下、「安定化直流線」という。）であり、７１は増幅された音声信号を伝達する信号線（以下、「増幅音声信号線」という。）である。
【００２０】
処理装置本体１は、スピーカ装置９と合成信号線４１を介して接続され、合成信号を生成してスピーカ装置９に送出する装置である。
音声生成手段２は、音声線２１に接続され、音声信号を生成して出力する手段である。
【００２１】
変換手段３は、交流線１１と直流線３１とに接続され、交流線１１を介して図示されない分電盤から供給された交流電圧を一定の直流電圧に変換し、直流線３１から出力する手段である。
【００２２】
合成手段４は、音声線２１と直流線３１と合成信号線４１とに接続され、直流線３１を介して入力された直流に音声線２１を介して入力された音声信号を重畳して合成信号を生成し、合成信号線４１から出力する手段である。
【００２３】
分離手段５は、合成信号線４１と音声線５１と直流線５２とに接続され、合成信号線４１を介して入力された合成信号を音声信号と直流電圧とに分離し、前記音声信号を音声線５１に出力し、前記直流電圧を直流線５２に出力する手段である。
【００２４】
安定化手段６は、直流線５２と安定化直流線６１とに接続され、直流線５２を介して供給された直流電圧を安定化直流電圧に変換し、安定化直流線６１から出力する回路である。
【００２５】
音声増幅手段７は、音声線５１と安定化直流線６１と増幅音声信号線７１とに接続され、音声線５１を介して入力された音声信号を安定化直流線６１を介して入力された安定化直流電圧で増幅し、増幅音声信号線７１から出力する回路である。
【００２６】
出力手段８は、増幅音声信号線７１に接続され、増幅音声信号線７１を介して入力された、増幅音声信号を音声に変換して出力する回路である。
スピーカ装置９は、分離手段５と安定化手段６と音声増幅手段７と出力手段８とからなる１台のスピーカ（本説明では、「左スピーカ」という。）と、出力手段８からなる別のスピーカ（本説明では、「右スピーカ」という。）とから構成される、処理装置本体１と合成信号線４１を介して接続された装置である。
【００２７】
本発明は、処理装置本体１に音声信号生成のための交流電圧が供給されており、更に処理装置本体１からスピーカ装置９に音声信号を伝達する接続線が接続されていることに着目し、処理装置本体１で直流電圧に音声信号を重畳して生成した合成信号を前記接続線を介してスピーカ装置９に伝達し、スピーカ装置９では前記合成信号を音声信号と直流電圧とに分離し、前記直流電圧を安定化して生成した安定化直流で前記音声信号を増幅し、生成された増幅音声信号を音声に変換して出力するものである。
【００２８】
音声生成手段２により音声信号が生成されると、前記音声信号は音声線２１を介して合成手段４に図３のＡに示される形の波形で入力される。
一方、図示されない分電盤から交流線１１を介して交流電圧が供給され、前記交流電力は変換手段３により図３のＢに示される形の直流電圧に変換されて合成手段４に供給される。
【００２９】
合成手段４では、直流電圧に音声信号が重畳されて生成された図３のＣに示される形の合成信号が合成信号線４１を介してスピーカ装置９に伝達され、分離手段５に入力される。
【００３０】
分離手段５では、合成信号が図３のＡに示される形の音声信号と、図３のＢに示される形の直流電圧とに分離され、音声信号は音声線５１を介して音声増幅手段７に、直流電圧は直流線５２を介して安定化手段６に入力される。
【００３１】
安定化手段６では、入力された直流電圧が安定化されて、生成された安定化直流電圧が安定化直流線６１を介して音声増幅手段７に供給される。
音声増幅手段７では、音声線５１を介して入力された音声信号が増幅されて増幅音声信号が生成され、増幅音声信号線７１に出力され、出力手段８に入力される。
【００３２】
出力手段８では、増幅音声信号線７１を介して入力された、増幅音声信号が音声に変換され出力される。
【００３３】
【発明の実施の形態】
発明の実施の形態について、図２〜図３を参照しながら説明する。
尚、従来例の説明及び本発明の原理についての説明において説明されたと同一部分または相当部分については同一符号を付し、本説明において新たに説明される部分については新しい符号を付して説明する。
【００３４】
図２において、１は処理装置本体であり、９はスピーカ装置であり、１１は交流線であり、２０は音声回路であり、２１は音声線であり、３０は変換回路であり、３１は直流線であり、４０は合成回路であり、４１は合成信号線であり、５０は分離回路であり、５１は音声線であり、５２は直流線であり、６０は安定化回路であり、６１は安定化直流線であり、７０は増幅回路であり、７１は増幅音声信号線であり、８０は出力回路である。
【００３５】
処理装置本体１は、音声回路２０と変換回路３０と合成回路４０とからなり、図示されない分電盤と交流線１１を介して接続され、スピーカ装置９と合成信号線４１を介して接続される、直流電圧に音声信号を重畳して合成信号を生成してスピーカ装置９に送出する装置である。
【００３６】
スピーカ装置９は、分離回路５０と安定化回路６０と増幅回路７０と出力回路８０とからなる１台のスピーカ（本説明では、「左スピーカ」という。）と、出力回路８０からなる別のスピーカ（本説明では、「右スピーカ」という。）とから構成され、処理装置本体１と合成信号線４１を介して接続される、処理装置本体１から送出された音声信号を音声に変換して出力する装置である。
【００３７】
変換回路３０は、交流線１１と直流線３１とに接続され、交流線１１を介して図示されない分電盤から供給された交流電圧を一定の直流電圧に変換し、直流線３１に出力する回路である。
【００３８】
合成回路４０は、例えば一端が音声線２１と合成信号線４１とに接続され、他端が直流線３１に接続されたチョークコイルＬで構成される回路であって、直流線３１を介して供給された直流電圧に音声線２１を介して入力された音声信号を重畳し、生成された合成信号を合成信号線４１に出力する回路である。
【００３９】
分離回路５０は、合成信号線４１と音声線５１と直流線５２とに接続され、例えば一端が合成信号線４１と音声線５１とに接続され、他端が直流線５２に接続されたチョークコイルＬで構成される回路であって、合成信号線４１を介して入力された合成信号を音声信号と直流電圧とに分離し、音声信号を音声線５１に出力し、直流を直流線５２に出力する回路である。
【００４０】
音声回路２０により図３のＡに示される波形の音声信号が生成されると、前記音声信号は音声線２１を介して合成回路４０に入力される。
一方、図示されない分電盤から交流線１１を介して交流電圧が供給され、前記交流は変換回路３０により図３のＢに示される波形の直流電圧に変換されて合成回路４０に供給される。
【００４１】
合成回路４０では、直流電圧に音声信号が重畳されて図３のＣで示される波形の合成信号が生成され、合成信号線４１を介してスピーカ装置９に伝達され、分離回路５０に入力される。
【００４２】
分離回路５０では、合成信号が図３のＡに示される波形の音声信号と、図３のＢに示される波形の直流電圧とに分離され、音声信号は音声線５１を介して増幅回路７０に、直流電圧は直流線５２を介して安定化回路６０に入力される。
【００４３】
安定化回路６０では、入力された直流電圧が安定化されて安定化直流電圧が生成され、安定化直流線６１を介して増幅回路７０に供給される。
増幅回路７０では、音声線５１を介して入力された音声信号が増幅されて増幅音声信号が生成され、増幅音声信号線７１に出力され、出力回路８０に入力される。
【００４４】
出力回路８０では、増幅音声信号線７１を介して入力された、増幅音声信号が音声に変換され出力される。
尚、本説明では分離回路５０と安定化回路６０と増幅回路７０と出力回路８０とからなる１台のスピーカを左スピーカとし、出力回路８０からなる別のスピーカを右スピーカとして説明しているが、２台のスピーカのいずれか一方が分離回路５０と安定化回路６０と増幅回路７０と出力回路８０とからなり、他方が出力回路８０からなる構成をとることにより、同様の効果を得ることができる。
【００４５】
【発明の効果】
以上説明した様に、本発明によればスピーカ装置に電力を供給する接続線が不要となり、処理装置本体に接続されるスピーカ装置と分電盤とを接続する接続線を逓減できるため、接続線の煩雑化を防止することが出来るという効果がある。
【図面の簡単な説明】
【図１】本発明の原理図
【図２】本発明の実施の形態構成図
【図３】波形図
【図４】従来例の構成図
【符号の説明】
１，１’処理装置本体
２  音声生成手段
３  変換手段
４  合成手段
５  分離手段
６  安定化手段
７  音声増幅手段
８  出力手段
９，９’  スピーカ装置
２０  音声回路
３０，３０’  変換回路
４０  合成回路
５０  分離回路
６０  安定化回路
７０  増幅回路
８０  出力回路
１１  交流線
２１，５１  音声線
３１，３１’，５２  直流線
４１  合成信号線
６１  安定化直流線
７１  増幅音声信号線
【図１】
0003620178.tif 000002
【図２】
0003620178.tif 000003
【図３】
0003620178.tif 000004
【図４】
0003620178.tif 000005